(57)【要約】【課題】ディスクに油脂類が付着された場合においても、駆動時に当該ディスクを確実に制動して綱車を停止させるとともに停止時に当該ディスクを確実に保持して綱車を停止させ続けることができるエレベータ用巻上機を提供する。【解決手段】本発明によるエレベータ用巻上機１０は、エレベータの乗りかご３に連結された主索４を巻き付ける綱車１４と、綱車１４の一端に、一体形成または剛体締結された第１ディスク１５と、綱車１４の他端に、一体形成または剛体締結された第２ディスク１６とを備えている。また第１ディスク１５に対して近接して、駆動時に当該第１ディスク１５を制動するとともに停止時に当該第１ディスク１５を保持する第１ブレーキ１７が設けられている。さらに第２ディスク１６に対して近接して、駆動時に当該第２ディスク１６を制動するとともに停止時に当該第２ディスク１６を保持する第２ブレーキが設けられている。【選択図】図２
2009173409.tif 000002
【特許請求の範囲】
【請求項１】
エレベータの乗りかごに連結された主索を巻き付ける綱車と、
綱車の一端に、一体形成または剛体締結された第１ディスクと、
綱車の他端に、一体形成または剛体締結された第２ディスクと、
第１ディスクに対して近接して設けられ、駆動時に当該第１ディスクを制動するとともに停止時に当該第１ディスクを保持する第１ブレーキと、
第２ディスクに対して近接して設けられ、駆動時に当該第２ディスクを制動するとともに停止時に当該第２ディスクを保持する第２ブレーキと、を備えたことを特徴とするエレベータ用巻上機。
【請求項２】
エレベータの乗りかごに連結された主索を巻き付ける綱車と、
綱車の一端に一体形成または剛体締結された第１ディスクと、
第１ディスクに固定連結され、綱車の周縁外方に配置されるよう綱車が貫通する中空部が設けられた第２ディスクと、
第１ディスクに対して近接して設けられ、駆動時に当該第１ディスクを制動するとともに停止時に当該第１ディスクを保持する第１ブレーキと、
第２ディスクに対して近接して設けられ、駆動時に当該第２ディスクを制動するとともに停止時に当該第２ディスクを保持する第２ブレーキと、を備えたことを特徴とするエレベータ用巻上機。
【請求項３】
第１ディスクの先端に第１切欠部が設けられ、当該第１切欠部に第１プレートが設けられ、当該第１切欠部と当該第１プレートとの間に、油脂類を吸収するとともに、当該第１ディスクの外周および当該第１プレートの外周のいずれよりも突出する第１吸収部材が設けられ、
第２ディスクの先端に第２切欠部が設けられ、当該第２切欠部に第２プレートが設けられ、当該第２切欠部と当該第２プレートとの間に、油脂類を吸収するとともに、当該第２ディスクの外周および当該第２プレートの外周のいずれよりも突出する第２吸収部材が設けられることを特徴とする請求項１または２に記載のエレベータ用巻上機。
【請求項４】
第１ディスクの先端に、当該第１ディスクの先端の回転軸を含む横断面が凹状形状になるよう第１凹状切欠部が設けられ、当該第１凹状切欠部に、油脂類を吸収するとともに当該第１ディスクの外周から突出する第１吸収部材が設けられ、
第２ディスクの先端に、当該第２ディスクの先端の回転軸を含む横断面が凹状形状になるよう第２凹状切欠部が設けられ、当該第２凹状切欠部に、油脂類を吸収するとともに当該第２ディスクの外周から突出する第２吸収部材が設けられることを特徴とする請求項１または２に記載のエレベータ用巻上機。
【請求項５】
第１ディスクの先端に、当該第１ディスクの先端の回転軸を含む横断面が凸状形状になるよう一対の第１切欠部が設けられ、当該一対の第１切欠部に、当該第１ディスクの半径方向に対して傾斜した一対の第１傾斜状プレートが設けられ、
第２ディスクの先端に、当該第２ディスクの先端の回転軸を含む横断面が凸状形状になるよう一対の第２切欠部が設けられ、当該一対の第２切欠部に、当該第２ディスクの半径方向に対して傾斜した一対の第２傾斜状プレートが設けられることを特徴とする請求項１または２に記載のエレベータ用巻上機。
【請求項６】
一対の第１傾斜状プレートの先端に第１プレート切欠部が各々設けられ、当該一対の第１切欠部と当該一対の第１プレート切欠部との間に、油脂類を吸収するとともに、当該第１ディスクの外周および当該第１傾斜状プレートの外周のいずれよりも突出する第１吸収部材が設けられ、
一対の第２傾斜状プレートの先端に第２プレート切欠部が各々設けられ、当該一対の第２切欠部と当該一対の第２プレート切欠部との間に、油脂類を吸収するとともに、当該第２ディスクの外周および当該第２傾斜状プレートの外周のいずれよりも突出する第２吸収部材が設けられることを特徴とする請求項５に記載のエレベータ用巻上機。
【請求項７】
エレベータの乗りかごに連結された主索を巻き付ける綱車と、
綱車の一端に一体形成または剛体締結され、先端の回転軸を含む横断面が第１突起部と第２突起部とを有する凹状形状からなるディスクと、
ディスクの第１突起部に対して近接して設けられ、駆動時に当該第１突起部を制動するとともに停止時に当該第１突起部を保持する第１ブレーキと、
ディスクの第２突起部に対して近接して設けられ、駆動時に当該第２突起部を制動するとともに停止時に当該第２突起部を保持する第２ブレーキと、を備えたことを特徴とするエレベータ用巻上機。
【請求項８】
第１突起部の先端に第１切欠部が設けられ、当該第１切欠部に第１プレートが設けられ、当該第１切欠部と当該第１プレートとの間に油脂類を吸収するとともに、当該第１突起部の外周および当該第１プレートの外周のいずれよりも突出する第１吸収部材が設けられ、
第２突起部の先端に第２切欠部が設けられ、当該第２切欠部に第２プレートが設けられ、当該第２切欠部と当該第２プレートとの間に油脂類を吸収するとともに、当該第２突起部の外周および当該第２プレートの外周のいずれよりも突出する第２吸収部材が設けられることを特徴とする請求項７に記載のエレベータ用巻上機。
【請求項９】
第１突起部の先端に、当該第１突起部の先端の回転軸を含む横断面が凹状形状になるよう第１凹状切欠部が設けられ、当該第１凹状切欠部に油脂類を吸収するとともに当該第１突起部の外周から突出する第１吸収部材が設けられ、
第２突起部の先端に、当該第２突起部の先端の回転軸を含む横断面が凹状形状になるよう第２凹状切欠部が設けられ、当該第２凹状切欠部に油脂類を吸収するとともに当該第２突起部の外周から突出する第２吸収部材が設けられることを特徴とする請求項７に記載のエレベータ用巻上機。
【請求項１０】
第１突起部の先端に、当該第１突起部の先端の回転軸を含む横断面が凸状形状になるよう一対の第１切欠部が設けられ、当該一対の第１切欠部に、当該第１突起部の半径方向に対して傾斜した一対の第１傾斜状プレートが設けられ、
第２突起部の先端に、当該第２突起部の先端の回転軸を含む横断面が凸状形状になるよう一対の第２切欠部が設けられ、当該一対の第２切欠部に、当該第２突起部の半径方向に対して傾斜した一対の第２傾斜状プレートが設けられることを特徴とする請求項７に記載のエレベータ用巻上機。
【請求項１１】
一対の第１傾斜状プレートの先端に第１プレート切欠部が各々設けられ、当該一対の第１切欠部と当該一対の第１プレート切欠部との間に、油脂類を吸収するとともに、当該第１突起部の外周および当該第１傾斜状プレートの外周のいずれよりも突出する第１吸収部材が設けられ、
一対の第２傾斜状プレートの先端に第２プレート切欠部が各々設けられ、当該一対の第２切欠部と当該一対の第２プレート切欠部との間に、油脂類を吸収するとともに、当該第２突起部の外周および当該第２傾斜状プレートの外周のいずれよりも突出する第２吸収部材が設けられることを特徴とする請求項１０に記載のエレベータ用巻上機。
【発明の詳細な説明】
【技術分野】
【０００１】
本発明は、エレベータの乗りかごに連結された主索を巻き付ける綱車と、綱車に、一体形成または剛体締結されたディスクと、ディスクに対して近接して設けられ、駆動時に当該ディスクを制動するとともに停止時に当該ディスクを保持するブレーキとを備えたエレベータ用巻上機に係り、とりわけ、ディスクに油脂類が付着された場合においても確実に乗りかごを制動あるいは保持することができるエレベータ用巻上機に関する。
【背景技術】
【０００２】
一般に、図２０（ａ）、（ｂ）に示すように、エレベータ用巻上機１００は、Ｈ鋼材などの形鋼材で形成されたベース１０１と、ベース１０１上に固定された軸受台１０２と、エレベータの乗りかごに連結された主索を巻き付け、軸受台１０２に両端が支持された回転シャフト１０３を有する綱車１０４と、綱車１０４の一端に、一体形成または剛体締結されたディスク１０５とを備えている。またディスク１０５に対して近接して、ディスク１０５に対向して配置される制動子（ブレーキパッド）１０７を有する一対のブレーキ１０６が設けられ、駆動時にディスク１０５を制動するとともに停止時にディスク１０５を保持するようになっている。
【発明の開示】
【発明が解決しようとする課題】
【０００３】
しかしながら、このようなエレベータ用巻上機１００において、一対のブレーキ１０６は一つのディスク１０５に対して制動または保持するように構成されているため、このディスク１０５に油脂類が付着した場合、一対のブレーキ１０６のうち他方の制動子１０７にも油脂類が付着することが考えられる。この場合、駆動時にディスク１０５を制動して綱車を停止させることおよび停止時にディスク１０５を保持して綱車を停止させ続けることが困難になるという問題が生じる。
【０００４】
このような問題に対処するために、回転シャフトの両端に一対の磁性板および電磁石部からなる電磁ブレーキを設けたモータ用ダブルブレーキ構造が知られている（例えば、特許文献１参照）。しかしながら、綱車に連結された駆動部にダブルブレーキ構造を用いる場合、綱車と駆動部との間の連結部に不具合が生じると、綱車を停止させることが困難になる。
【特許文献１】実開平６−３６３５９号公報
【０００５】
本発明は、このような点を考慮してなされたものであり、ディスクに油脂類が付着された場合においても、駆動時に当該ディスクを確実に制動して綱車を停止させるとともに停止時に当該ディスクを確実に保持して綱車を停止させ続けることができるエレベータ用巻上機を提供することを目的とする。
【課題を解決するための手段】
【０００６】
本発明は、エレベータの乗りかごに連結された主索を巻き付ける綱車と、綱車の一端に、一体形成または剛体締結された第１ディスクと、綱車の他端に、一体形成または剛体締結された第２ディスクと、第１ディスクに対して近接して設けられ、駆動時に当該第１ディスクを制動するとともに停止時に当該第１ディスクを保持する第１ブレーキと、第２ディスクに対して近接して設けられ、駆動時に当該第２ディスクを制動するとともに停止時に当該第２ディスクを保持する第２ブレーキと、を備えたことを特徴とするエレベータ用巻上機である。
【０００７】
本発明は、エレベータの乗りかごに連結された主索を巻き付ける綱車と、綱車の一端に一体形成または剛体締結された第１ディスクと、第１ディスクに固定連結され、綱車の周縁外方に配置されるよう綱車が貫通する中空部が設けられた第２ディスクと、第１ディスクに対して近接して設けられ、駆動時に当該第１ディスクを制動するとともに停止時に当該第１ディスクを保持する第１ブレーキと、第２ディスクに対して近接して設けられ、駆動時に当該第２ディスクを制動するとともに停止時に当該第２ディスクを保持する第２ブレーキと、を備えたことを特徴とするエレベータ用巻上機である。
【０００８】
本発明は、第１ディスクの先端に第１切欠部が設けられ、当該第１切欠部に第１プレートが設けられ、当該第１切欠部と当該第１プレートとの間に、油脂類を吸収するとともに、当該第１ディスクの外周および当該第１プレートの外周のいずれよりも突出する第１吸収部材が設けられ、第２ディスクの先端に第２切欠部が設けられ、当該第２切欠部に第２プレートが設けられ、当該第２切欠部と当該第２プレートとの間に、油脂類を吸収するとともに、当該第２ディスクの外周および当該第２プレートの外周のいずれよりも突出する第２吸収部材が設けられることを特徴とするエレベータ用巻上機である。
【０００９】
本発明は、第１ディスクの先端に、当該第１ディスクの先端の回転軸を含む横断面が凹状形状になるよう第１凹状切欠部が設けられ、当該第１凹状切欠部に、油脂類を吸収するとともに当該第１ディスクの外周から突出する第１吸収部材が設けられ、第２ディスクの先端に、当該第２ディスクの先端の回転軸を含む横断面が凹状形状になるよう第２凹状切欠部が設けられ、当該第２凹状切欠部に、油脂類を吸収するとともに当該第２ディスクの外周から突出する第２吸収部材が設けられることを特徴とするエレベータ用巻上機である。
【００１０】
本発明は、第１ディスクの先端に、当該第１ディスクの先端の回転軸を含む横断面が凸状形状になるよう一対の第１切欠部が設けられ、当該一対の第１切欠部に、当該第１ディスクの半径方向に対して傾斜した一対の第１傾斜状プレートが設けられ、第２ディスクの先端に、当該第２ディスクの先端の回転軸を含む横断面が凸状形状になるよう一対の第２切欠部が設けられ、当該一対の第２切欠部に、当該第２ディスクの半径方向に対して傾斜した一対の第２傾斜状プレートが設けられることを特徴とするエレベータ用巻上機である。
【００１１】
本発明は、一対の第１傾斜状プレートの先端に第１プレート切欠部が各々設けられ、当該一対の第１切欠部と当該一対の第１プレート切欠部との間に、油脂類を吸収するとともに、当該第１ディスクの外周および当該第１傾斜状プレートの外周のいずれよりも突出する第１吸収部材が設けられ、一対の第２傾斜状プレートの先端に第２プレート切欠部が各々設けられ、当該一対の第２切欠部と当該一対の第２プレート切欠部との間に、油脂類を吸収するとともに、当該第２ディスクの外周および当該第２傾斜状プレートの外周のいずれよりも突出する第２吸収部材が設けられることを特徴とするエレベータ用巻上機である。
【００１２】
本発明は、エレベータの乗りかごに連結された主索を巻き付ける綱車と、綱車の一端に一体形成または剛体締結され、先端の回転軸を含む横断面が第１突起部と第２突起部とを有する凹状形状からなるディスクと、ディスクの第１突起部に対して近接して設けられ、駆動時に当該第１突起部を制動するとともに停止時に当該第１突起部を保持する第１ブレーキと、ディスクの第２突起部に対して近接して設けられ、駆動時に当該第２突起部を制動するとともに停止時に当該第２突起部を保持する第２ブレーキと、を備えたことを特徴とするエレベータ用巻上機である。
【００１３】
本発明は、第１突起部の先端に第１切欠部が設けられ、当該第１切欠部に第１プレートが設けられ、当該第１切欠部と当該第１プレートとの間に油脂類を吸収するとともに、当該第１突起部の外周および当該第１プレートの外周のいずれよりも突出する第１吸収部材が設けられ、第２突起部の先端に第２切欠部が設けられ、当該第２切欠部に第２プレートが設けられ、当該第２切欠部と当該第２プレートとの間に油脂類を吸収するとともに、当該第２突起部の外周および当該第２プレートの外周のいずれよりも突出する第２吸収部材が設けられることを特徴とするエレベータ用巻上機である。
【００１４】
本発明は、第１突起部の先端に、当該第１突起部の先端の回転軸を含む横断面が凹状形状になるよう第１凹状切欠部が設けられ、当該第１凹状切欠部に油脂類を吸収するとともに当該第１突起部の外周から突出する第１吸収部材が設けられ、第２突起部の先端に、当該第２突起部の先端の回転軸を含む横断面が凹状形状になるよう第２凹状切欠部が設けられ、当該第２凹状切欠部に油脂類を吸収するとともに当該第２突起部の外周から突出する第２吸収部材が設けられることを特徴とするエレベータ用巻上機である。
【００１５】
本発明は、第１突起部の先端に、当該第１突起部の先端の回転軸を含む横断面が凸状形状になるよう一対の第１切欠部が設けられ、当該一対の第１切欠部に、当該第１突起部の半径方向に対して傾斜した一対の第１傾斜状プレートが設けられ、第２突起部の先端に、当該第２突起部の先端の回転軸を含む横断面が凸状形状になるよう一対の第２切欠部が設けられ、当該一対の第２切欠部に、当該第２突起部の半径方向に対して傾斜した一対の第２傾斜状プレートが設けられることを特徴とするエレベータ用巻上機である。
【００１６】
本発明は、一対の第１傾斜状プレートの先端に第１プレート切欠部が各々設けられ、当該一対の第１切欠部と当該一対の第１プレート切欠部との間に、油脂類を吸収するとともに、当該第１突起部の外周および当該第１傾斜状プレートの外周のいずれよりも突出する第１吸収部材が設けられ、一対の第２傾斜状プレートの先端に第２プレート切欠部が各々設けられ、当該一対の第２切欠部と当該一対の第２プレート切欠部との間に、油脂類を吸収するとともに、当該第２突起部の外周および当該第２傾斜状プレートの外周のいずれよりも突出する第２吸収部材が設けられることを特徴とするエレベータ用巻上機である。
【発明の効果】
【００１７】
本発明によれば、第１ブレーキにより制動および保持される第１ディスクと、第２ブレーキにより制動および保持される第２ディスクとが、綱車に各々一体形成または剛体締結されている。このため、第１ディスクおよび第２ディスクのいずれか一方に油脂類が付着された場合においても、他方のディスクに油脂類が付着されることがなく、駆動時に他方のディスクを確実に制動して綱車を停止させるとともに停止時に他方のディスクを確実に保持して綱車を停止させ続けることができる。この結果、エレベータの乗りかごをより一層安全に運転することができる。
【００１８】
本発明によれば、第１ブレーキにより制動および保持される第１突起部と、第２ブレーキにより制動および保持される第２突起部とが、綱車に各々一体形成または剛体締結されている。このため、第１突起部および第２突起部のいずれか一方に油脂類が付着された場合においても、他方の突起部に油脂類が付着されることがなく、駆動時に他方の突起部を確実に制動して綱車を停止させるとともに停止時に他方の突起部を確実に保持して綱車を停止させ続けることができる。この結果、エレベータの乗りかごをより一層安全に運転することができる。
【発明を実施するための形態】
【００１９】
第１の実施の形態
以下、図面を参照して、本発明の実施の形態について説明する。ここで、図１乃至図６は、本発明の第１の実施の形態におけるエレベータ用巻上機を示す図である。このうち図１は、本発明の第１の実施の形態におけるエレベータ用巻上機を含むエレベータシステムの全体構成を示す概略図であり、図２（ａ）は、本発明の第１の実施の形態におけるエレベータ用巻上機の全体構成を示す上面図であり、図２（ｂ）は、図２（ａ）におけるＸ−Ｘ線矢視図であり、図２（ｃ）は、図２（ａ）におけるＹ−Ｙ線矢視図である。また図３（ａ）は、本発明の第１の実施の形態におけるエレベータ用巻上機のブレーキ本体が閉じた状態を示す図であり、図３（ｂ）は、ブレーキ本体が開いた状態を示す図である。また図４（ａ）は、本発明の第１の実施の形態におけるエレベータ用巻上機の第１ディスクおよび第２ディスクの先端を部分的に拡大した図であり、図４（ｂ）は、図４（ａ）におけるＡ部を拡大した図であり、図５は、本発明の第１の実施の形態におけるエレベータ用巻上機の第１プレートおよび第２プレートの形状を示す図であり、図６は、本発明の第１の実施の形態におけるエレベータ用巻上機の第１吸収部材および第２吸収部材の形状を示す図である。
【００２０】
まず、図１によりエレベータシステム１の全体構成について説明する。図１に示すようにエレベータシステム１は、昇降路２内を昇降する乗りかご３と、乗りかご３に一端が連結され、この乗りかご３を吊り上げる主索４と、主索４の他端に連結された釣合重り５と、主索４を巻き付けるとともに主索４を駆動するための本発明によるエレベータ用巻上機１０とを備えている。
【００２１】
次に本発明によるエレベータ用巻上機１について、図２（ａ）、（ｂ）、（ｃ）を用いて説明する。ここでエレベータ用巻上機１は、エレベータの乗りかご３を昇降させるとともに、乗りかご３昇降時に乗りかご３を停止させ、さらに乗りかご３停止時に乗りかご３を保持するためのものである。
【００２２】
図１および図２（ａ）、（ｂ）、（ｃ）に示すようにエレベータ用巻上機１０は、Ｈ鋼材などの形鋼材で形成されたベース１１と、ベース１１上に固定された一対の軸受台１２と、エレベータの乗りかご３に連結された主索４を巻き付け、各軸受台２に両端が支持された回転シャフト１３を有する綱車１４とを有している。この綱車１４の一端に、両面に一対の制動面１５ａが形成された第１ディスク１５が一体形成または剛体締結され、この綱車１４の他端に、両面に一対の制動面１６ａが形成された第２ディスク１６が一体形成または剛体締結されている。
【００２３】
また、第１ディスク１５に対して近接して、駆動時にこの第１ディスク１５を制動するとともに停止時に第１ディスク１５を保持する第１ブレーキ１７が設けられ、この第１ブレーキ１７は、近接する軸受台１２に取り付けられている。第１ブレーキ１７は、ブレーキ枠体１９と、このブレーキ枠体１９に取り付けられ、第１ディスク１５両面に形成された一対の制動面１５ａに対向して配置される一対のブレーキ本体２０とを含んでいる。
【００２４】
同様に、第２ディスク１６に対して近接して、駆動時にこの第２ディスク１６を制動するとともに停止時に第２ディスク１６を保持する第２ブレーキ１８が設けられ、この第２ブレーキ１８は、近接する軸受台１２に取り付けられている。第２ブレーキ１８は、ブレーキ枠体１９と、このブレーキ枠体１９に取り付けられ、第２ディスク１６両面に形成された一対の制動面１６ａに対向して配置される一対のブレーキ本体２０とを有している。
【００２５】
なお、本実施の形態においては、上述したように、第１ディスク１５に対して１つの第１ブレーキ１７を設け、第２ディスク１６に対して１つの第２ブレーキ１８を設けているが、これに限らず、第１ディスク１５に対して複数の第１ブレーキ１７を設け、第２ディスク１６に対して複数の第２ブレーキ１８を設けるようにすることもできる。
【００２６】
次に、図３（ａ）、（ｂ）によりブレーキ本体２０について説明する。ブレーキ本体２０は、磁性体となる鋼材からなるマグネット２１と、マグネット２１を貫通するとともに、両端がマグネット２１から突出するように設けられたロッド２２と、マグネット２１から突出したロッド２２の一方を貫通して連結され、鋼材からなるアーマチュア２３と、アーマチュア２３から突出したロッド２２に連結され、アーマチュア２３と連動する制動子（ブレーキパッド）２４とを含んでいる。また、マグネット２１内のロッド２２の周囲に、銅からなるコイル２５が設けられている。さらにマグネット２１内のコイル２５の外周側において、マグネット２１とアーマチュア２３との間にスプリング２６が連結され、このスプリング２６は、アーマチュア２３および制動子２４をマグネット２１から引き離すように付勢するようになっており、この付勢する力（付勢力）は、コイル２５が励磁された場合に生じる電磁力よりも小さくなるようになっている。
【００２７】
図２（ａ）および図３（ａ）、（ｂ）に示すように、第１ブレーキ１７の一対のブレーキ本体２０の各制動子２４は、第１ディスク１５の両面に形成された一対の制動面１５ａに各々対向して配置され、各制動子２４は、駆動時または停止時に第１ディスク１５の制動面１５ａに各々押し付けられるようになっている。同様に第２ブレーキ１８の一対のブレーキ本体２０の各制動子２４は、第２ディスク１６の両面に形成された一対の制動面１６ａに各々対向して配置され、各制動子２４は、駆動時または停止時に第２ディスク１６の制動面１６ａに各々押し付けられるようになっている。
【００２８】
また図３（ａ）、（ｂ）に示すように、ブレーキ本体２０のコイル２５に制御装置２７が接続され、この制御装置２７にコイル２５へ電流を供給する電源２８が接続されている。このうち制御装置２７内にコイル２５への電流の供給を切り替える切替器２９が設けられている。このように、コイル２５へ供給される電流が制御装置２７の切替器２９によって切り替えられ、第１ブレーキ１７および第２ブレーキ１８が制御装置２７により制御されるようになっている。
【００２９】
次に、第１ディスク１５の先端形状および第２ディスク１６の先端形状について説明する。図４（ａ）、（ｂ）に示すように、第１ディスク１５の先端に全周に渡って第１切欠部３０が設けられ、この第１切欠部３０に円周方向に渡って複数の取付穴３０ａが設けられている。また第１切欠部３０に、第１プレート３１が設けられている。この第１プレート３１は、図５に示すように円周方向に４分割されるとともに、この第１プレート３１に、第１切欠部３０に設けられた複数の取付穴３０ａに対応した複数の取付穴３１ａが設けられている。また第１プレート３１は、第１切欠部３０に取り付けた場合に第１ディスク１５の制動面１５ａと同一平面となるように形成されている。
【００３０】
これらの第１切欠部３０と第１プレート３１との間に、油脂類を吸収する第１吸収部材３２が設けられ、この第１吸収部材３２は第１ディスク１５の外周および第１プレート３１の外周のいずれよりも突出している。この第１吸収部材３２は、図６に示すように円周方向に４分割されるとともに、この第１吸収部材３２に、第１切欠部３０に設けられた取付穴３０ａおよび第１プレート３１に設けられた取付穴３１ａに対応した複数の取付用切欠部３２ａが設けられている。
【００３１】
図４（ａ）、（ｂ）に示すように、第１ディスク１５の先端の第１切欠部３０の各取付穴３０ａと、第１吸収部材３２の各取付用切欠部３２ａと、第１プレート３１の各取付穴３１ａに、締結手段３３が挿入されて締結され、第１切欠部３０に第１吸収部材３２および第１プレート３１が各々取り付けられる。なお、第１プレート３１および第１吸収部材３２は、４分割に限らず、任意の数だけ分割することもできる。
【００３２】
同様に図４（ａ）、（ｂ）に示すように、第２ディスク１６の先端に全周に渡って第２切欠部３４が設けられ、この第２切欠部３４に円周方向に渡って複数の取付穴３４ａが設けられている。また第２切欠部３４に第２プレート３５が設けられている。この第２プレート３５は、図５に示すように円周方向に４分割されるとともに、この第２プレート３５に、第２切欠部３４に設けられた複数の取付穴３４ａに対応した複数の取付穴３５ａが設けられている。また第２プレート３５は、第２切欠部３４に取り付けた場合に第２ディスク１６の制動面１６ａと同一平面となるように形成されている。
【００３３】
これらの第２切欠部３４と第２プレート３５との間に、油脂類を吸収する第１吸収部材３６が設けられ、この第１吸収部材３６は第２ディスク１６の外周および第２プレート３５の外周のいずれよりも突出している。この第２吸収部材３６は、図６に示すように円周方向に４分割されるとともに、この第２吸収部材３６に、第２切欠部３４に設けられた取付穴３４ａおよび第２プレート３５に設けられた取付穴３５ａに対応した複数の取付用切欠部３６ａが設けられている。
【００３４】
図４（ａ）、（ｂ）に示すように、第２ディスク１６の先端の第２切欠部３４の各取付穴３４ａと、第２吸収部材３６の各取付用切欠部３６ａと、第２プレート３５の取付穴３５ａに、締結手段３３が挿入されて締結され、第２切欠部３４に第２吸収部材３６および第２プレート３５が各々取り付けられる。なお、第２プレート３５および第２吸収部材３６は、４分割に限らず、任意の数だけ分割することもできる。
【００３５】
また、第１吸収部材３２および第２吸収部材３６は、フェルトなどの繊維素材からなっている。
【００３６】
次に、このような構成からなる本実施の形態の作用について説明する。
【００３７】
まず、乗りかご３（図１参照）が停止している場合、図２（ａ）に示すように、綱車１４に一体形成または剛体締結された第１ディスク１５は第１ブレーキ１７により保持されるとともに、綱車１４に一体形成または剛体締結された第２ディスク１６は第２ブレーキ１８により保持されている。この場合図３（ａ）、（ｂ）に示すように、制御装置２７によりブレーキ本体２０のコイル２５へ電流が供給されることがなく、コイル２５が無励磁状態となっている。このため、スプリング２６の付勢力により、アーマチュア２３および制動子２４がマグネット２１から引き離されて、制動子２４が第１ディスク１５の制動面１５ａおよび第２ディスク１６の制動面１６ａに押圧されている。このことにより、第１ブレーキ１７によって第１ディスク１５が保持されるとともに、第２ブレーキ１８によって第２ディスク１６が保持されて、乗りかご３が停止している。
【００３８】
この間、第１ディスク１５および第２ディスク１６のいずれか一方のディスク、例えば第１ディスク１５の一方の制動面１５ａに油脂類が付着した場合、まず自重により油脂類は第１ディスク１５の下方へ向けて移動する。次に、下方へ向けて移動している油脂類は、図４（ａ）に示すように、第１ディスク１５の外周および第１プレート３１の外周のいずれよりも突出している第１吸収部材３２に達する。その後、油脂類が第１吸収部材３２に吸収される。同様に、第２ディスク１６の制動面１６ａに油脂類が付着した場合、油脂類は第２吸収部材３６に吸収される。
【００３９】
次に、乗りかご３を昇降させる。この場合まず、制御装置２７の切替器２８を切り替えることによりブレーキ本体２０のコイル２５へ電流が供給され、コイル２５が励磁状態となる。次に、ブレーキ本体２０のスプリング２６の付勢力によりマグネット２１から引き離されていたアーマチュア２３が、コイル２５から生じる電磁力によって吸引される。次にアーマチュア２３に連結されたロッド２２が、マグネット２１内を摺動することによって案内されながら、アーマチュア２３がマグネット２１に当接される。同時にロッド２２に連結された制動子２４が第１ディスク１５の制動面１５ａおよび第２ディスク１６の制動面１６ａから引き離される。このことにより、第１ディスク１５は第１ブレーキ１７により保持されることがなく、かつ第２ディスク１６は第２ブレーキ１８により保持されることがなく、乗りかご３が昇降する。
【００４０】
この間、第１ディスク１５および第２ディスク１６のいずれか一方のディスク、例えば第１ディスク１５の一方の制動面１５ａに油脂類が付着した場合、まず第１ディスク１５が回転することにより生じる遠心力により油脂類は第１ディスク１５の外周側へ向けて移動する。次に、外周側へ向けて移動している油脂類は、第１ディスク１５の外周および第１プレート３１の外周のいずれよりも突出している第１吸収部材３２に達する。その後、油脂類が第１吸収部材３２に吸収される。同様に、第２ディスク１６の制動面１６ａに油脂類が付着した場合、油脂類は第２吸収部材３６に吸収される。
【００４１】
次に、昇降している乗りかご３を第１ブレーキ１７および第２ブレーキにより停止させる。この場合まず、ブレーキ本体２０のコイル２５へ供給されていた電流が、制御装置２７の切替器２８を切り替えることによって遮断され、コイル２５が無励磁状態になる。次に、スプリング２６の付勢力により、アーマチュア２３および制動子２４に連結されたロッド２２が、マグネット２１内を摺動することによって案内されながら、アーマチュア２３および制動子２４がマグネット２１から引き離される。次に、スプリング２６の付勢力により制動子２４が第１ディスク１５の制動面１５ａおよび第２ディスク１６の制動面１６ａに押圧される。このことにより、乗りかご３が第１ブレーキ１７および第２ブレーキ１８により減速される。その後、第１ブレーキ１７によって第１ディスク１５が保持されるとともに、第２ブレーキ１８によって第２ディスク１６が保持されて、乗りかご３が停止する。
【００４２】
このように本実施の形態によれば、第１ブレーキ１７により制動および保持される第１ディスク１５と、第２ブレーキ１８により制動および保持される第２ディスク１６とが、綱車１４に各々一体形成または剛体締結されている。このため、第１ディスク１５の一対の制動面１５ａおよび第２ディスク１６の一対の制動面１６ａのうちいずれか１つの制動面に油脂類が付着された場合においても、他の制動面に油脂類が付着されることがなく、駆動時に他の制動面においてディスクを確実に制動して綱車を停止させるとともに、停止時に他の制動面においてディスクを確実に保持して綱車を停止させ続けることができる。この結果、エレベータの乗りかご３をより一層安全に運転することができる。
【００４３】
また本実施の形態によれば、第１ディスク１５の一対の制動面１５ａおよび第２ディスク１６の一対の制動面１６ａのうちいずれか１つの制動面に付着された油脂類は、第１ディスク１５の先端に設けられた第１吸収部材３２または第２ディスク１６の先端に設けられた第２吸収部材３６に吸収される。このため、ディスクの制動面に付着された油脂類が、この制動面に残ることを確実に防止することができる。
【００４４】
第２の実施の形態
次に、図７（ａ）、（ｂ）により、本発明の第２の実施の形態におけるエレベータ用巻上機について説明する。ここで図７（ａ）は、本発明の第２の実施の形態におけるエレベータ用巻上機の第１ディスクおよび第２ディスクの先端を部分的に拡大した図であり、図７（ｂ）は、図７（ａ）におけるＡ部を拡大した図である。
【００４５】
図７（ａ）、（ｂ）に示す第２の実施の形態において、エレベータ用巻上機は、第１ディスクの第１凹状切欠部および第２ディスクの先端の第２凹状切欠部に第１吸収部材および第２吸収部材が各々設けられている点が異なるのみであり、他の構成は、図１乃至図６に示す第１の実施の形態と略同一である。なお、図７（ａ）、（ｂ）において、図１乃至図６に示す第１の実施の形態と同一部分には同一符号を付して詳細な説明は省略する。
【００４６】
図７（ａ）、（ｂ）に示すように、第１ディスク１５の先端に、この第１ディスク１５の先端の回転軸を含む横断面が凹状形状になるよう第１凹状切欠部３７が設けられ、この第１凹状切欠部３７に円周方向に渡って複数の取付穴３７ａが設けられている。
【００４７】
また第１凹状切欠部３７に、油脂類を吸収するとともに第１ディスク１５の外周から突出する第１吸収部材３２が設けられている。この第１吸収部材３２は、図６に示すように円周方向に４分割されるとともに、この第１吸収部材３２に、第１凹状切欠部３７に設けられた取付穴３７ａに対応した複数の取付用切欠部３２ａが設けられている。
【００４８】
図７（ａ）に示すように、第１ディスク１５の先端の第１凹状切欠部３７の各取付穴３７ａと、第１吸収部材３２の各取付用切欠部３２ａに締結手段３３が挿入されて締結され、第１凹状切欠部３７に第１吸収部材３２が各々取り付けられる。なお、第１吸収部材３２は４分割に限らず、任意の数だけ分割することもできる。
【００４９】
同様に、図７（ａ）、（ｂ）に示すように、第２ディスク１６の先端に、この第２ディスク１６の先端の回転軸を含む横断面が凹状形状になるよう第２凹状切欠部３８が設けられ、この第２凹状切欠部３８に円周方向に渡って複数の取付穴３８ａが設けられている。
【００５０】
また第２凹状切欠部３８に、油脂類を吸収するとともに第２ディスク１６の外周から突出する第２吸収部材３６が設けられている。この第２吸収部材３６は、図６に示すように円周方向に４分割されるとともに、この第２吸収部材３６に、第２凹状切欠部３８に設けられた取付穴３８ａに対応した複数の取付用切欠部３６ａが設けられている。
【００５１】
図７（ａ）に示すように、第２ディスク１６の先端の第２凹状切欠部３８の各取付穴３８ａと、第２吸収部材３６の各取付用切欠部３６ａに締結手段３３が挿入されて締結され、第２凹状切欠部３８に第２吸収部材３６が各々取り付けられる。なお、第２吸収部材３６は４分割に限らず、任意の数だけ分割することもできる。
【００５２】
本実施の形態において、停止時、第１ディスク１５および第２ディスク１６のいずれか一方のディスク、例えば第１ディスク１５の一方の制動面１５ａに油脂類が付着した場合、まず自重により油脂類は第１ディスク１５の下方へ向けて移動する。次に、下方へ向けて移動している油脂類は、第１ディスク１５の外周よりも突出している第１吸収部材３２に達する。その後、油脂類が第１吸収部材３２に吸収される。同様に、第２ディスク１６の一方の制動面１６ａに油脂類が付着した場合、油脂類は第２吸収部材３６に吸収される。
【００５３】
また、駆動時、第１ディスク１５および第２ディスク１６のいずれか一方のディスク、例えば第１ディスク１５の一方の制動面１５ａに油脂類が付着した場合、まず第１ディスク１５が回転することにより生じる遠心力により油脂類は第１ディスク１５の外周側へ向けて移動する。次に、外周側へ向けて移動している油脂類は、第１ディスク１５の外周よりも突出している第１吸収部材３２に達する。その後、油脂類が第１吸収部材３２に吸収される。同様に、第２ディスク１６の一方の制動面１６ａに油脂類が付着した場合、油脂類は第２吸収部材３６に吸収される。
【００５４】
このように本実施の形態によれば、ディスクの制動面に付着された油脂類が、この制動面に残ることを確実に防止することができる。
【００５５】
第３の実施の形態
次に、図８（ａ）、（ｂ）および図９（ａ）、（ｂ）により、本発明の第３の実施の形態におけるエレベータ用巻上機について説明する。ここで図８（ａ）は、本発明の第３の実施の形態におけるエレベータ用巻上機の第１ディスクおよび第２ディスクの先端を部分的に拡大した図であり、図８（ｂ）は、図８（ａ）におけるＡ部を拡大した図であり、図９（ａ）は、本発明の第３の実施の形態におけるエレベータ用巻上機の第１傾斜状プレートおよび第２傾斜状プレートを示す図であり、図９（ｂ）は、図９（ａ）におけるＸ−Ｘ線断面を示す図である。
【００５６】
図８（ａ）、（ｂ）および図９（ａ）、（ｂ）に示す第３の実施の形態において、エレベータ用巻上機は、第１ディスクおよび第２ディスクの先端に第１傾斜状プレートおよび第２傾斜状プレートが各々設けられている点が異なるのみであり、他の構成は、図１乃至図６に示す第１の実施の形態と略同一である。なお、図８（ａ）、（ｂ）および図９（ａ）、（ｂ）において、図１乃至図６に示す第１の実施の形態と同一部分には同一符号を付して詳細な説明は省略する。
【００５７】
図８（ａ）、（ｂ）に示すように、第１ディスク１５の先端に、この第１ディスク１５の先端の回転軸を含む横断面が凸状形状になるよう一対の第１切欠部３９が設けられ、各第１切欠部３９に円周方向に渡って複数の取付穴３９ａが設けられている。この場合一方の第１切欠部３９の取付穴３９ａの位置は、他方の第１切欠部３９の取付穴３９ａの位置に対して円周方向にずらして配置され、一対の第１切欠部３９に設けられた各取付穴３９ａが貫通しないようになっている。
【００５８】
また一対の第１切欠部３９に、第１ディスク１５の半径方向に対して傾斜するとともに、この第１ディスク１５の外周よりも突出した一対の第１傾斜状プレート４０が設けられている。各第１傾斜状プレート４０は図９（ａ）に示すように、円周方向に４分割されるとともに、各第１傾斜状プレート４０に、各第１切欠部３９に設けられた複数の取付穴３９ａに対応した複数の座ぐり取付穴４０ａが各々設けられている。また図９（ｂ）に示すように、各第１傾斜状プレート４０の外周側先端部４０ｂは、第１傾斜状プレート４０の先端の回転軸を含む横断面が鋭角になるよう形成されている。また各第１傾斜状プレート４０の内周側面４０ｃは、各第１切欠部３９に取り付けた場合に第１ディスク１５の制動面１５ａと同一平面となるように形成され、制動面１５ａの一部を構成している。
【００５９】
図８（ａ）に示すように、第１ディスク１５の先端の一対の第１切欠部３９の各取付穴３９ａと、一対の第１傾斜状プレート４０の各座ぐり取付穴４０ａに締結手段３３が挿入されて締結され、一対の第１切欠部３９に一対の第１傾斜状プレー４０が各々取り付けられる。なお、各第１傾斜状プレート４０は、４分割に限らず、任意の数だけ分割することもできる。
【００６０】
同様に図８（ａ）、（ｂ）に示すように、第２ディスク１６の先端に、この第２ディスク１６の先端の回転軸を含む横断面が凸状形状になるよう一対の第２切欠部４１が設けられ、各第２切欠部４１に円周方向に渡って複数の取付穴４１ａが設けられている。この場合一方の第２切欠部４１の取付穴４１ａの位置は、他方の第２切欠部４１の取付穴４１ａの位置に対して円周方向にずらして配置され、一対の第２切欠部４１に設けられた各取付穴４１ａが貫通しないようになっている。
【００６１】
また一対の第２切欠部４１に、第２ディスク１６の半径方向に対して傾斜するとともに、この第２ディスク１６の外周よりも突出した一対の第２傾斜状プレート４２が設けられている。各第２傾斜状プレート４２は図９（ａ）に示すように、円周方向に４分割されるとともに、各第２傾斜状プレート４２に、各第２切欠部４１に設けられた複数の取付穴４１ａに対応した複数の座ぐり取付穴４２ａが各々設けられている。また図９（ｂ）に示すように、各第２傾斜状プレート４２の外周側先端部４２ｂは、第２傾斜状プレート４２の先端の回転軸を含む横断面が鋭角になるよう形成されている。また各第２傾斜状プレート４２の中心側面４２ｃは、各第２切欠部４１に取り付けた場合に第２ディスク１６の制動面１６ａと同一平面となるように形成され、制動面１６ａの一部を構成している。
【００６２】
図８（ａ）に示すように、第２ディスク１６の先端の一対の第２切欠部４１の各取付穴４１ａと、一対の第２傾斜状プレート４２の各座ぐり取付穴４２ａに締結手段３３が挿入されて締結され、一対の第２切欠部４１に一対の第２傾斜状プレート４２が各々取り付けられる。なお、各第２傾斜状プレート４２は、４分割に限らず、任意の数だけ分割することもできる。
【００６３】
本実施の形態においては、停止時、第１ディスク１５および第２ディスク１６のいずれか一方のディスク、例えば第１ディスク１５の一方の制動面１５ａに油脂類が付着した場合、まず自重により油脂類は、第１ディスク１５の第１切欠部３９に設けられた第１傾斜状プレート４０の下方へ向けて移動する。次に、下方へ向けて移動している油脂類は、第１傾斜状プレート４０の下方の外周側先端部４０ｂに達する。第１傾斜状プレート４０の下方の外周側先端部４０ｂに達した油脂類は、この外周側先端部４０ｂから自重により切れる。この場合、第１傾斜状プレート４０の外周側先端部４０ｂは、回転軸を含む横断面が鋭角になるよう形成されているため、油脂類が第１傾斜状プレート４０の下方の外周側先端部４０ｂから切れやすくなっている。同様に、第２ディスク１６の一方の制動面１６ａに油脂類が付着した場合、油脂類は第２傾斜状プレート４２の下方の外周側先端部４２ｂから自重により切れる。
【００６４】
また、駆動時、第１ディスク１５および第２ディスク１６のいずれか一方のディスク、例えば第１ディスク１５の一方の制動面１５ａに油脂類が付着した場合、まず第１ディスク１５が回転することにより生じる遠心力により油脂類は第１ディスク１５の外周側へ向けて移動する。次に、外周側へ向けて移動している油脂類は、第１ディスク１５の第１切欠部３９に設けられた第１傾斜状プレート４０の外周側先端部４０ｂに達する。その後、油脂類が、この外周側先端部４０ｂから遠心力により切れる。この場合、第１傾斜状プレート４０の外周側先端部４０ｂは、回転軸を含む横断面が鋭角になるよう形成されているため、油脂類が第１傾斜状プレート４０の下方の外周側先端部４０ｂから切れやすくなっている。同様に、第２ディスク１６の一方の制動面１６ａに油脂類が付着した場合、油脂類は第２傾斜状プレート４２の外周側先端部４２ｂから遠心力により切れる。
【００６５】
このように本実施の形態によれば、ディスクの制動面に付着された油脂類が、この制動面に残ることを確実に防止することができる。
【００６６】
第４の実施の形態
次に、図１０（ａ）、（ｂ）および図１１（ａ）、（ｂ）により、本発明の第４の実施の形態におけるエレベータ用巻上機について説明する。ここで図１０（ａ）は、本発明の第４の実施の形態におけるエレベータ用巻上機の第１ディスクおよび第２ディスクの先端の回転軸を含む横断面形状を部分的に拡大した図であり、図１０（ｂ）は、図１０（ａ）におけるＡ部を拡大した図であり、図１１（ａ）は、本発明の第４の実施の形態におけるエレベータ用巻上機の第１傾斜状プレートおよび第２傾斜状プレートを示す図であり、図１１（ｂ）は、図１１（ａ）におけるＸ−Ｘ線断面を示す図である。
【００６７】
図１０（ａ）、（ｂ）および図１１（ａ）、（ｂ）に示す第４の実施の形態において、エレベータ用巻上機は、第１ディスクの先端と第１傾斜状プレートとの間、および第２ディスクの先端と第２傾斜状プレートとの間に溜まり部が各々設けられている点が異なるのみであり、他の構成は、図８および図９に示す第３の実施の形態と略同一である。なお、図１０（ａ）、（ｂ）および図１１（ａ）、（ｂ）において、図８および図９に示す第１の実施の形態と同一部分には同一符号を付して詳細な説明は省略する。
【００６８】
図１０（ａ）、（ｂ）に示すように、一対の第１切欠部３９に設けられた一対の第１傾斜状プレート４３は、第１ディスク１５の半径方向に対して傾斜するとともに、この第１ディスク１５の外周よりも突出している。各第１傾斜状プレート４３は図１１（ａ）に示すように、円周方向に４分割されるとともに、各第１傾斜状プレート４３に、各第１切欠部３９に設けられた複数の取付穴３９ａに対応した複数の座ぐり取付穴４３ａが各々設けられている。また図１１（ｂ）に示すように、各第１傾斜状プレート４３の外周側先端部４３ｂは、第１傾斜状プレート４３の先端の回転軸を含む横断面が鋭角になるよう形成されるとともに、各第１傾斜状プレート４３の内周側面４３ｃは、各第１切欠部３９に取り付けた場合に第１ディスク１５の制動面１５ａと同一平面となるように形成され、制動面１５ａの一部を構成している。さらに図１０（ｂ）に示すように、第１切欠部３９と各第１傾斜状プレート４３との間に、油脂類を溜めることができる溜まり部５７が設けられている。
【００６９】
同様に図１０（ａ）、（ｂ）に示すように、一対の第２切欠部４１に設けられた一対の第２傾斜状プレート４４は、第２ディスク１６の半径方向に対して傾斜するとともに、この第２ディスク１６の外周よりも突出している。各第２傾斜状プレート４４は図１１（ａ）に示すように、円周方向に４分割されるとともに、各第２傾斜状プレート４４に、各第２切欠部４１に設けられた複数の取付穴４１ａに対応した複数の座ぐり取付穴４４ａが各々設けられている。また図１１（ｂ）に示すように、各第２傾斜状プレート４４の外周側先端部４４ｂは、第２傾斜状プレート４４の先端の回転軸を含む横断面が鋭角になるよう形成されるとともに、各第２傾斜状プレート４４の内周側面４４ｃは、各第２切欠部４１に取り付けた場合に第２ディスク１６の制動面１６ａと同一平面となるように形成され、制動面１６ａの一部を構成している。さらに図１０（ｂ）に示すように、第２切欠部４１と各第２傾斜状プレート４４との間に、油脂類を溜めることができる溜まり部５７が設けられている。
【００７０】
このように本実施の形態によれば、停止時、第１ディスク１５および第２ディスク１６のいずれか一方のディスク、例えば第１ディスク１５の一方の制動面１５ａに付着した油脂類が、自重により第１ディスク１５の第１切欠部３９に設けられた第１傾斜状プレート４３の下方へ向けて移動し、油脂類が第１傾斜状プレート４３から切れることなく第１傾斜状プレート４３を回り込んだ場合においても、第１ディスク１５と第１傾斜状プレート４３との間に設けられた溜まり部５７に油脂類を溜めておくことができる。このため、第１ディスク１５の一方の制動面１５ａに付着した油脂類が他方の制動面１５ａに移動することを確実に防止することができる。同様に、第２ディスク１６の一方の制動面１６ａに付着した油脂類が他方の制動面１６ａに移動すること確実に防止することができる。
【００７１】
また本実施の形態によれば、駆動時、第１ディスク１５および第２ディスク１６のいずれか一方のディスク、例えば第１ディスク１５の一方の制動面１５ａに付着した油脂類が、第１ディスク１５が回転することにより生じる遠心力によって第１ディスク１５の第１切欠部３９に設けられた第１傾斜状プレート４３の外周側へ向けて移動し、油脂類が第１傾斜状プレート４３から切れることなく第１傾斜状プレート４３を回り込んだ場合においても、第１ディスク１５と第１傾斜状プレート４３との間に設けられた溜まり部５７に油脂類を溜めておくことができる。このため、第１ディスク１５の一方の制動面１５ａに付着した油脂類が他方の制動面１５ａに移動することを確実に防止することができる。同様に、第２ディスク１６の一方の制動面１６ａに付着した油脂類が他方の制動面１６ａに移動すること確実に防止することができる。
【００７２】
第５の実施の形態
次に、図１２（ａ）、（ｂ）および図１３（ａ）、（ｂ）により、本発明の第５の実施の形態におけるエレベータ用巻上機について説明する。ここで図１２（ａ）は、本発明の第５の実施の形態におけるエレベータ用巻上機の第１ディスクおよび第２ディスクの先端を部分的に拡大した図であり、図１２（ｂ）は、図１２（ａ）におけるＡ部を拡大した図であり、図１３（ａ）は、本発明の第５の実施の形態におけるエレベータ用巻上機の第１プレートおよび第２プレートを示す図であり、図１３（ｂ）は、図１３（ａ）におけるＸ−Ｘ線断面を示す図である。
【００７３】
図１２（ａ）、（ｂ）および図１３（ａ）、（ｂ）に示す第５の実施の形態において、エレベータ用巻上機は、第１ディスクの先端に凸状形状からなる第１切欠部が設けられ、第１切欠部に第１プレートおよび第１吸収部材が設けられるとともに、第２ディスクの先端に凸状形状からなる第２切欠部が設けられ、第２切欠部に第２プレートおよび第２吸収部材が設けられている点が異なるのみであり、他の構成は、図１乃至図６に示す第１の実施の形態と略同一である。なお、図１２（ａ）、（ｂ）および図１３（ａ）、（ｂ）において、図１乃至図６に示す第１の実施の形態と同一部分には同一符号を付して詳細な説明は省略する。
【００７４】
図１２（ａ）、（ｂ）に示すように、第１ディスク１５の先端に、この第１ディスク１５の先端の回転軸を含む横断面が凸状形状になるよう一対の第１切欠部４５が設けられている。各第１切欠部４５に円周方向に渡って、各第１プレート４６（後述）を取り付けるための複数のプレート用取付穴４５ａおよび各第１吸収部材３２（後述）を取り付けるための複数の吸収部材用取付穴４５ｂが各々設けられている。すなわち、各第１切欠部４５に設けられた各第１プレート用取付穴４５ａおよび各第１吸収部材用取付穴４５ｂは各々貫通しないように設けられている。この場合一方の第１切欠部４５のプレート用取付穴４５ａの位置は、他方の第１切欠部４５のプレート用取付穴４５ａの位置に対して円周方向にずらして配置され、一対の第１切欠部４５に設けられた各プレート用取付穴４５ａが貫通しないようになっている。同様に、一方の第１切欠部４５の吸収部材用取付穴４５ｂの位置は、他方の第１切欠部４５の吸収部材用取付穴４５ｂの位置に対して円周方向にずらして配置され、一対の第１切欠部４５に設けられた各吸収部材用取付穴４５ｂが貫通しないようになっている。
【００７５】
また一対の第１切欠部４５に、一対の第１プレート４６が設けられ、この一対の第１プレート４６は、図１３（ａ）に示すように円周方向に４分割される。また、この一対の第１プレート４６に、第１切欠部４５に設けられた複数のプレート用取付穴４５ａに対応した複数のプレート用座ぐり取付穴４６ａ、および第１切欠部４５に設けられた複数の吸収部材用取付穴４５ｂに対応した複数の吸収部材用座ぐり取付穴４６ｂが各々設けられている。また第１プレート４６は、第１切欠部４５に取り付けた場合に第１ディスク１５の制動面１５ａと同一平面となるように形成され、制動面１５ａの一部を構成している。
【００７６】
また図１２（ｂ）および図１３（ｂ）に示すように、一対の第１プレート４６の先端に、第１プレート切欠部４７が各々設けられ、この一対の第１切欠部４５と一対の第１プレート切欠部４７との間に、油脂類を吸収する第１吸収部材３２が設けられている。この第１吸収部材３２は、第１ディスク１５の外周および第１プレート４６の外周のいずれよりも突出している。この第１吸収部材３２は、図６に示すように円周方向に４分割されるとともに、この第１吸収部材３２に、第１切欠部４５に設けられた複数の吸収部材用取付穴４５ｂおよび第１プレート４６に設けられた複数の吸収部材用座ぐり取付穴４６ｂに対応した複数の取付用切欠部３２ａが設けられている。
【００７７】
図１２（ａ）に示すように、第１ディスク１５の先端の第１切欠部４５の各プレート用取付穴４５ａと、第１プレート４６の各プレート用座ぐり取付穴４６ａに、プレート用締結手段４８が挿入されて締結される。また、第１切欠部４５の各吸収部材用取付穴４５ｂと、第１吸収部材３２の各取付用切欠部３２ａと、第１プレート４６の各吸収部材用座ぐり取付穴４６ｂに、吸収部材用締結手段４９が挿入されて締結され、第１切欠部４５に第１吸収部材３２および第１プレート４６が各々取り付けられる。なお、第１プレート４６および第１吸収部材３２は、４分割に限らず、任意の数だけ分割することもできる。
【００７８】
同様に図１２（ａ）、（ｂ）に示すように、第２ディスク１６の先端に、この第２ディスク１６の先端の回転軸を含む横断面が凸状形状になるよう一対の第２切欠部５０が設けられている。各第２切欠部５０に円周方向に渡って、各第２プレート５１（後述）を取り付けるための複数のプレート用取付穴５０ａおよび各第２吸収部材３６（後述）を取り付けるための複数の吸収部材用取付穴５０ｂが各々設けられている。この場合一方の第２切欠部５０のプレート用取付穴５０ａの位置は、他方の第２切欠部５０のプレート用取付穴５０ａの位置に対して円周方向にずらして配置され、一対の第２切欠部５０に設けられた各プレート用取付穴５０ａが貫通しないようになっている。同様に、一方の第２切欠部５０の吸収部材用取付穴５０ｂの位置は、他方の第２切欠部５０の吸収部材用取付穴５０ｂの位置に対して円周方向にずらして配置され、一対の第２切欠部５０に設けられた各吸収部材用取付穴５０ｂが貫通しないようになっている。
【００７９】
また一対の第２切欠部５０に、一対の第２プレート５１が設けられ、この一対の第２プレート５１は、図１３（ａ）に示すように円周方向に４分割される。この一対の第２プレート５１に、第２切欠部５０に設けられた複数のプレート用取付穴５０ａに対応した複数のプレート用座ぐり取付穴５１ａ、および第２切欠部５０に設けられた複数の吸収部材用取付穴５０ｂに対応した複数の吸収部材用座ぐり取付穴５１ｂが各々設けられている。また第２プレート５１は、第２切欠部５０に取り付けた場合に第２ディスク１６の制動面１６ａと同一平面となるように形成され、制動面１６ａの一部を構成している。
【００８０】
また図１２（ｂ）および図１３（ｂ）に示すように、一対の第２プレート５１の先端に、第２プレート切欠部５２が各々設けられ、この一対の第２切欠部５０と一対の第２プレート切欠部５２との間に、油脂類を吸収する第２吸収部材３６が設けられている。この第２吸収部材３６は、第２ディスク１６の外周および第２プレート５１の外周のいずれよりも突出している。この第２吸収部材３６は、図６に示すように円周方向に４分割されるとともに、この第２吸収部材３６に、第２切欠部５０に設けられた吸収部材用取付穴５０ｂおよび第２プレート５１に設けられた吸収部材用座ぐり取付穴５１ｂに対応した複数の取付用切欠部３６ａが設けられている。
【００８１】
図１２（ａ）に示すように、第２ディスク１６の先端の第２切欠部５０の各プレート用取付穴５０ａと、第２プレート５１の各プレート用座ぐり取付穴５１ａに、プレート用締結手段４８が挿入されて締結される。また、第２切欠部５０の各吸収部材用取付穴５０ｂと、第２吸収部材３６の各取付用切欠部３６ａと、第２プレート５１の各吸収部材用取付穴座ぐり５１ｂに、吸収部材用締結手段４９が挿入されて締結され、第２切欠部５０に第２吸収部材３６および第２プレート５１が各々取り付けられる。なお、第２プレート５１および第２吸収部材３６は、４分割に限らず、任意の数だけ分割することもできる。
【００８２】
このように本実施の形態によれば、停止時、第１ディスク１５および第２ディスク１６のいずれか一方のディスク、例えば第１ディスク１５の一方の制動面１５ａに油脂類が付着した場合、まず自重により油脂類は第１ディスク１５の第１切欠部４５に設けられた第１プレート４６の下方へ向けて移動する。次に、下方へ向けて移動している油脂類は、第１プレート４６の外周よりも突出している第１吸収部材３２に達する。その後、油脂類が第１吸収部材３２に吸収される。同様に、第２ディスク１６の一方の制動面１６ａに油脂類が付着した場合、油脂類は第２吸収部材３６に吸収される。
【００８３】
また本実施の形態によれば、駆動時、第１ディスク１５および第２ディスク１６のいずれか一方のディスク、例えば第１ディスク１５の一方の制動面１５ａに油脂類が付着した場合、まず第１ディスク１５が回転することにより生じる遠心力により油脂類は第１ディスク１５の第１切欠部４５に設けられた第１プレート４６の外周側へ向けて移動する。次に、外周側へ向けて移動している油脂類は、第１プレート４６の外周よりも突出している第１吸収部材３２に達する。その後、油脂類が第１吸収部材３２に吸収される。同様に、第２ディスク１６の一方の制動面１６ａに油脂類が付着した場合、油脂類は第２吸収部材３６に吸収される。
【００８４】
このように本実施の形態によれば、ディスクの制動面に付着された油脂類が、この制動面に残ることを確実に防止することができる。
【００８５】
第６の実施の形態
次に、図１４（ａ）、（ｂ）および図１５（ａ）、（ｂ）により、本発明の第６の実施の形態におけるエレベータ用巻上機について説明する。ここで図１４（ａ）は、本発明の第６の実施の形態におけるエレベータ用巻上機の第１ディスクおよび第２ディスクの先端を部分的に拡大した図であり、図１４（ｂ）は、図１４（ａ）におけるＡ部を拡大した図であり、図１５（ａ）は、本発明の第６の実施の形態におけるエレベータ用巻上機の第１傾斜状プレートおよび第２傾斜状プレートを示す図であり、図１５（ｂ）は、図１５（ａ）におけるＸ−Ｘ線断面を示す図である。
【００８６】
図１４（ａ）、（ｂ）および図１５（ａ）、（ｂ）に示す第６の実施の形態において、エレベータ用巻上機は、第１ディスク先端の第１切欠部に第１傾斜状プレートが設けられるとともに、第２ディスクの先端の第２切欠部に第２傾斜状プレートが設けられている点が異なるのみであり、他の構成は、図１２乃至図１３に示す第５の実施の形態と略同一である。なお、図１４（ａ）、（ｂ）および図１５（ａ）、（ｂ）において、図１２（ａ）、（ｂ）および図１３（ａ）、（ｂ）に示す第５の実施の形態と同一部分には同一符号を付して詳細な説明は省略する。
【００８７】
図１４（ａ）、（ｂ）に示すように、第１ディスク１５の先端に設けられた一対の第１切欠部４５に、第１ディスク１５の半径方向に対して傾斜する一対の第１傾斜状プレート５３が設けられ、この一対の第１傾斜状プレート５３は、図１５（ａ）に示すように円周方向に４分割される。また、この一対の第１傾斜状プレート５３に、第１切欠部４５に設けられた複数のプレート用取付穴４５ａに対応した複数のプレート用座ぐり取付穴５３ａ、および第１切欠部４５に設けられた複数の吸収部材用取付穴４５ｂに対応した複数の吸収部材用座ぐり取付穴５３ｂが各々設けられている。また図１５（ｂ）に示すように、各第１傾斜状プレート５３の外周側先端部５３ｃは、第１傾斜状プレート５３の先端の回転軸を含む横断面が鋭角になるよう形成されるとともに、各第１傾斜状プレート５３の内周側面５３ｄは、各第１切欠部４５に取り付けた場合に第１ディスク１５の制動面１５ａと同一平面となるように形成され、制動面１５ａの一部を構成している。
【００８８】
また図１４（ｂ）および図１５（ｂ）に示すように、一対の第１傾斜状プレート５３の先端に、第１傾斜状プレート切欠部５４が各々設けられ、この一対の第１切欠部４５と一対の第１傾斜状プレート切欠部５４との間に、油脂類を吸収する第１吸収部材３２が設けられている。この第１吸収部材３２は、第１ディスク１５の外周および第１傾斜状プレート５３の外周のいずれよりも突出している。この第１吸収部材３２は、図６に示すように円周方向に４分割されるとともに、この第１吸収部材３２に、第１切欠部４５に設けられた吸収部材用取付穴４５ｂおよび第１傾斜状プレート５３に設けられた吸収部材用座ぐり取付穴５３ｂに対応した複数の取付用切欠部３２ａが設けられている。
【００８９】
図１４（ａ）に示すように、第１ディスク１５の先端の第１切欠部４５のプレート用取付穴４５ａと、第１傾斜状プレート５３の各プレート用座ぐり取付穴５３ａに、プレート用締結手段４８が挿入されて締結される。また、第１切欠部４５の各吸収部材用取付穴４５ｂと、第１吸収部材３２の各取付用切欠部３２ａと、第１傾斜状プレート５３の各吸収部材用座ぐり取付穴５３ｂに、吸収部材用締結手段４９が挿入されて締結され、第１切欠部４５に第１吸収部材３２および第１傾斜状プレート５３が各々取り付けられる。なお、第１傾斜状プレート５３および第１吸収部材３２は、４分割に限らず、任意の数だけ分割することもできる。
【００９０】
同様に図１４（ａ）、（ｂ）に示すように、一対の第２切欠部５０に、第２ディスク１６の半径方向に対して傾斜する一対の第２傾斜状プレート５５が設けられ、この一対の第２傾斜状プレート５５は、図１５（ａ）に示すように円周方向に４分割される。また、この一対の第２傾斜状プレート５５に、第２切欠部５０に設けられた複数のプレート用取付穴５０ａに対応した複数のプレート用座ぐり取付穴５５ａ、および第２切欠部５０に設けられた複数の吸収部材用取付穴５０ｂに対応した複数の吸収部材用座ぐり取付穴５５ｂが各々設けられている。また図１５（ｂ）に示すように、各第２傾斜状プレート５５の外周側先端部５５ｃは、第２傾斜状プレート５５の先端の回転軸を含む横断面が鋭角になるよう形成されている。各第２傾斜状プレート５５の内周側面５５ｄは、各第２切欠部５０に取り付けた場合に第２ディスク１６の制動面１６ａと同一平面となるように形成され、制動面１６ａの一部を構成している。
【００９１】
また図１４（ｂ）および図１５（ｂ）に示すように、一対の第２傾斜状プレート５３の先端に、第２傾斜状プレート切欠部５６が各々設けられ、この一対の第２切欠部５０と一対の第２傾斜状プレート切欠部５６との間に、油脂類を吸収する第２吸収部材３６が設けられている。この第２吸収部材３６は、第２ディスク１６の外周および第２傾斜状プレート５５の外周のいずれよりも突出している。この第２吸収部材３６は、図６に示すように円周方向に４分割されている。この第２吸収部材３６に、第２切欠部５０に設けられた吸収部材用取付穴５０ｂおよび第２傾斜状プレート５５に設けられた吸収部材用座ぐり取付穴５５ｂに対応した複数の取付用切欠部３６ａが設けられている。
【００９２】
図１４（ａ）に示すように、第２ディスク１６の先端の第２切欠部５０のプレート用取付穴５０ａと、第２傾斜状プレート５５のプレート用座ぐり取付穴５５ａとに、プレート用締結手段４８が挿入されて締結される。また、第２切欠部５０の各吸収部材用取付穴５０ｂと、第２吸収部材３６の各取付用切欠部３６ａと、第２傾斜状プレート５５の各吸収部材用座ぐり取付穴５５ｂに、吸収部材用締結手段４９が挿入されて締結され、第２切欠部５０に第２吸収部材３６および第２傾斜状プレート５５が各々取り付けられる。なお、第２傾斜状プレート５５および第２吸収部材３６は、４分割に限らず、任意の数だけ分割することもできる。
【００９３】
このように本実施の形態によれば、停止時、第１ディスク１５および第２ディスク１６のいずれか一方のディスク、例えば第１ディスク１５の一方の制動面１５ａに油脂類が付着した場合、まず自重により油脂類は第１ディスク１５の第１切欠部４５に設けられた第１傾斜状プレート５３の下方へ向けて移動する。次に、下方へ向けて移動している油脂類は、第１傾斜状プレート５３の外周側先端部５３ｃに達する。その後油脂類が外周側先端部５３ｃから自重により切れる。さらに、油脂類が、外周側先端部５３ｃから切れることなく第１傾斜状プレート５３を回り込んだ場合においても、油脂類は、第１傾斜状プレート５３の外周よりも突出している第１吸収部材３２に達する。その後、油脂類が第１吸収部材３２に吸収される。このため、第１ディスク１５の一方の制動面１５ａに付着した油脂類が他方の制動面１５ａに移動すること確実に防止することができる。同様に、第２ディスク１６の一方の制動面１６ａに付着した油脂類が他方の制動面１６ａに移動すること確実に防止することができる。
【００９４】
また本実施の形態によれば、駆動時、第１ディスク１５および第２ディスク１６のいずれか一方のディスク、例えば第１ディスク１５の一方の制動面１５ａに油脂類が付着した場合、まず第１ディスク１５が回転することにより生じる遠心力により油脂類は第１ディスク１５の第１切欠部４５に設けられた第１傾斜状プレート５３の外周側へ向けて移動する。次に、外周側へ向けて移動している油脂類は、第１傾斜状プレートの外周側先端部５３ｃに達する。その後油脂類が遠心力により切れる。油脂類が、外周側先端部５３ｃから切れることなく第１傾斜状プレート５３を回り込んだ場合においても、油脂類は、第１傾斜状プレート５３の外周よりも突出している第１吸収部材３２に達する。その後、油脂類が第１吸収部材３２に吸収される。このため、第１ディスク１５の一方の制動面１５ａに付着した油脂類が他方の制動面１５ａに移動すること確実に防止することができる。同様に、第２ディスク１６の一方の制動面１６ａに付着した油脂類が他方の制動面１６ａに移動すること確実に防止することができる。
【００９５】
このように本実施の形態によれば、ディスクの制動面に付着された油脂類が、この制動面に残ることを確実に防止することができる。
【００９６】
第７の実施の形態
次に、図１６乃至図１８により、本発明の第７の実施の形態におけるエレベータ用巻上機について説明する。ここで図１６（ａ）は、本発明の第７の実施の形態におけるエレベータ用巻上機の全体構成を示す上面図であり、図１６（ｂ）は、図１６（ａ）におけるＸ−Ｘ線矢視図であり、図１７は、本発明の第７の実施の形態におけるエレベータ用巻上機の第２ディスクの形状を示す図であり、図１８は、本発明の第７の実施の形態におけるエレベータ用巻上機の棒材の形状を示す図である。
【００９７】
図１６乃至図１８に示す第７の実施の形態において、エレベータ用巻上機は、中空部を有する第２ディスクが、第１ディスクに固定連結されている点が異なるのみであり、他の構成は、図１乃至図６に示す第１の実施の形態と略同一である。なお、図１６乃至図１８において、図１乃至図６に示す第１の実施の形態と同一部分には同一符号を付して詳細な説明は省略する。
【００９８】
図１６（ａ）、（ｂ）に示すように、第７の実施の形態におけるエレベータ用巻上機１０は、Ｈ鋼材などの形鋼材で形成されたベース１１と、ベース１１上に固定された一対の軸受台１２と、エレベータの乗りかご３に連結された主索４を巻き付け、各軸受台２に両端が支持された回転シャフト１３を有する綱車１４とを有している。この綱車１４の一端に、両面に一対の制動面１５ａが形成された第１ディスク１５が一体形成または剛体締結されている。また第１ディスク１５に、棒材６１を介して、綱車１４の周縁外方に配置されるよう綱車１４が貫通する中空部６０ｃを含み（図１７参照）、両面に一対の制動面６０ａが形成された第２ディスク６０が固定連結されている。この棒材６１の一端側にねじ部６１ａが設けられ（図１８参照）、この棒材６１が、第１ディスク１５の制動面１５ａの内周側に、第２ディスク６０側にねじ部６１ａが向くように、円周方向に渡って複数溶着されている。また、第２ディスク６０に、第１ディスク１５に溶着された複数の棒材６１に対応する位置に複数の取付穴６０ｂ（図１７参照）が設けられ、この取付穴６０ｂに棒材６１を挿入して締結手段６２を用いて締結し、第２ディスク６０が第１ディスク１５に固定連結されるようになっている。
【００９９】
また図１６（ｂ）に示すように、第１ディスク１５に対して近接して、駆動時にこの第１ディスク１５を制動するとともに停止時に第１ディスク１５を保持する第１ブレーキ１７が設けられ、この第１ブレーキ１７は、座６３を介してベース１１に固定されている。同様に、第２ディスク６０に対して近接して、駆動時にこの第２ディスク６０を制動するとともに停止時に第２ディスク６０を保持する第２ブレーキ１８が設けられ、この第２ブレーキ１８は、座６３を介してベース１１に固定されている。
【０１００】
なお、本実施の形態においては、上述したように、第１ディスク１５に対して１つの第１ブレーキ１７を設け、第２ディスク６０に対して１つの第２ブレーキ１８を設けているが、これに限らず、第１ディスク１５に対して複数の第１ブレーキ１７を設け、第２ディスク６０に対して複数の第２ブレーキ１８を設けるようにすることもできる。
【０１０１】
このように本実施の形態によれば、第１ブレーキ１７により制動および保持される第１ディスク１５が綱車１４に一体形成または剛体締結され、第２ブレーキ１８により制動および保持される第２ディスク２０が、第１ディスク１５に棒材６１を介して固定連結されている。このため、第１ディスク１５の一対の制動面１５ａおよび第２ディスク６０の一対の制動面６０ａのうちいずれか１つの制動面に油脂類が付着された場合においても、他の制動面に油脂類が付着されることがなく、駆動時に他の制動面においてディスクを確実に制動して綱車を停止させるとともに、停止時に他の制動面においてディスクを確実に保持して綱車を停止させ続けることができる。この結果、エレベータの乗りかご３をより一層安全に運転することができる。
【０１０２】
第８の実施の形態
次に、図１９（ａ）、（ｂ）により、本発明の第８の実施の形態におけるエレベータ用巻上機について説明する。ここで図１９（ａ）は、本発明の第８の実施の形態におけるエレベータ用巻上機の全体構成を示す上面図であり、図１９（ｂ）は、図１９（ａ）におけるＸ−Ｘ線矢視図である。
【０１０３】
図１９（ａ）、（ｂ）に示す第８の実施の形態において、エレベータ用巻上機は、綱車に第１突起部と第２突起部とを有する凹状形状からなるディスクが一体形成または剛体連結されている点が異なるのみであり、他の構成は、図１乃至図６に示す第１の実施の形態と略同一である。なお、図１９において、図１乃至図６に示す第１の実施の形態と同一部分には同一符号を付して詳細な説明は省略する。
【０１０４】
図１９（ａ）、（ｂ）に示すように、第８の実施の形態におけるエレベータ用巻上機１０は、Ｈ鋼材などの形鋼材で形成されたベース１１と、ベース１１上に固定された一対の軸受台１２と、エレベータの乗りかご３に連結された主索４を巻き付け、各軸受台２に両端が支持された回転シャフト１３を有する綱車１４とを有している。この綱車１４の一端に、先端の回転軸を含む横断面が第１突起部６４と第２突起部６５とを含む凹状形状からなるディスク６６が一体形成または剛体締結されている。このうち第１突起部６４の両面に一対の制動面６４ａが形成されるとともに、第２突起部６５の両面に一対の制動面６５ａが形成されている。
【０１０５】
また、第１突起部６４に対して近接して、駆動時にこの第１突起部６４を制動するとともに停止時に第１突起部６４を保持する第１ブレーキ１７が設けられ、この第１ブレーキ１７は、座６３を介してベース１１に固定されている。同様に、第２突起部６５に対して近接して、駆動時にこの第２突起部６５を制動するとともに停止時に第２突起部６５を保持する第２ブレーキ１８が設けられ、この第２ブレーキ１８は、座６３を介してベース１１に固定されている。
【０１０６】
なお、本実施の形態においては、上述したように、第１突起部６４に対して１つの第１ブレーキ１７を設け、第２突起部６５に対して１つの第２ブレーキ１８を設けているが、これに限らず、第１突起部６４に対して複数の第１ブレーキ１７を設け、第２突起部６５に対して複数の第２ブレーキ１８を設けるようにすることもできる。
【０１０７】
このように本実施の形態によれば、第１ブレーキ１７により制動および保持される第１突起部６４と、第２ブレーキ１８により制動および保持される第２突起部６５とを含むディスク６６が綱車１４に一体形成または剛体締結されている。このため、第１突起部６４の一対の制動面６４ａおよび第２突起部６５の一対の制動面６５ａのうちいずれか１つの制動面に油脂類が付着された場合においても、他の制動面に油脂類が付着されることがなく、駆動時に他の制動面において突起部を確実に制動して綱車を停止させるとともに、停止時に他の制動面において突起部を確実に保持して綱車を停止させ続けることができる。この結果、エレベータの乗りかご３をより一層安全に運転することができる。
【図面の簡単な説明】
【０１０８】
【図１】図１は、本発明の第１の実施の形態におけるエレベータ用巻上機を含むエレベータシステムの全体構成を示す概略図である。
【図２】図２（ａ）は、本発明の第１の実施の形態におけるエレベータ用巻上機の全体構成を示す上面図であり、図２（ｂ）は、図２（ａ）におけるＸ−Ｘ線矢視図であり、図２（ｃ）は、図２（ａ）におけるＹ−Ｙ線矢視図である。
【図３】図３（ａ）は、本発明の第１の実施の形態におけるエレベータ用巻上機のブレーキ本体が閉じた状態を示す図であり、図３（ｂ）は、ブレーキ本体が開いた状態を示す図である。
【図４】図４（ａ）は、本発明の第１の実施の形態におけるエレベータ用巻上機の第１ディスクおよび第２ディスクの先端を部分的に拡大した図であり、図４（ｂ）は、図４（ａ）におけるＡ部を拡大した図である。
【図５】図５は、本発明の第１の実施の形態におけるエレベータ用巻上機の第１プレートおよび第２プレートの形状を示す図である。
【図６】図６は、本発明の第１の実施の形態におけるエレベータ用巻上機の第１吸収部材および第２吸収部材の形状を示す図である。
【図７】図７（ａ）は、本発明の第２の実施の形態におけるエレベータ用巻上機の第１ディスクおよび第２ディスクの先端を部分的に拡大した図であり、図７（ｂ）は、図７（ａ）におけるＡ部を拡大した図である。
【図８】図８（ａ）は、本発明の第３の実施の形態におけるエレベータ用巻上機の第１ディスクおよび第２ディスクの先端を部分的に拡大した図であり、図８（ｂ）は、図８（ａ）におけるＡ部を拡大した図である。
【図９】図９（ａ）は、本発明の第３の実施の形態におけるエレベータ用巻上機の第１傾斜状プレートおよび第２傾斜状プレートを示す図であり、図９（ｂ）は、図９（ａ）におけるＸ−Ｘ線断面を示す図である。
【図１０】図１０（ａ）は、本発明の第４の実施の形態におけるエレベータ用巻上機の第１ディスクおよび第２ディスクの先端を部分的に拡大した図であり、図１０（ｂ）は、図１０（ａ）におけるＡ部を拡大した図である。
【図１１】図１１（ａ）は、本発明の第４の実施の形態におけるエレベータ用巻上機の第１傾斜状プレートおよび第２傾斜状プレートを示す図であり、図１１（ｂ）は、図１１（ａ）におけるＸ−Ｘ線断面を示す図である。
【図１２】図１２（ａ）は、本発明の第５の実施の形態におけるエレベータ用巻上機の第１ディスクおよび第２ディスクの先端を部分的に拡大した図であり、図１２（ｂ）は、図１２（ａ）におけるＡ部を拡大した図である。
【図１３】図１３（ａ）は、本発明の第５の実施の形態におけるエレベータ用巻上機の第１プレートおよび第２プレートを示す図であり、図１３（ｂ）は、図１３（ａ）におけるＸ−Ｘ線断面を示す図である。
【図１４】図１４（ａ）は、本発明の第６の実施の形態におけるエレベータ用巻上機の第１ディスクおよび第２ディスクの先端を部分的に拡大した図であり、図１４（ｂ）は、図１４（ａ）におけるＡ部を拡大した図である。
【図１５】図１５（ａ）は、本発明の第６の実施の形態におけるエレベータ用巻上機の第１傾斜状プレートおよび第２傾斜状プレートを示す図であり、図１５（ｂ）は、図１５（ａ）におけるＸ−Ｘ線断面を示す図である。
【図１６】図１６（ａ）は、本発明の第７の実施の形態におけるエレベータ用巻上機の全体構成を示す上面図であり、図１６（ｂ）は、図１６（ａ）におけるＸ−Ｘ線矢視図である。
【図１７】図１７は、本発明の第７の実施の形態におけるエレベータ用巻上機の第２ディスクの形状を示す図である。
【図１８】図１８は、本発明の第７の実施の形態におけるエレベータ用巻上機の棒材の形状を示す図である。
【図１９】図１９（ａ）は、本発明の第８の実施の形態におけるエレベータ用巻上機の全体構成を示す上面図であり、図１９（ｂ）は、図１９（ａ）におけるＸ−Ｘ線矢視図である。
【図２０】図２０（ａ）は、従来のエレベータ用巻上機の正面を示す図であり、図２０（ｂ）は、図２０（ａ）におけるＸ−Ｘ線矢視図である。
【符号の説明】
【０１０９】
１      エレベータシステム
２      昇降路
３      乗りかご
４      主索
５      釣合重り
１０    エレベータ用巻上機
１１    ベース
１２    軸受台
１３    回転シャフト
１４    綱車
１５    第１ディスク
１５ａ  制動面
１６    第２ディスク
１６ａ  制動面
１７    第１ブレーキ
１８    第２ブレーキ
１９    ブレーキ枠体
２０    ブレーキ本体
２１    マグネット
２２    ロッド
２３    アーマチュア
２４    制動子
２５    コイル
２６    スプリング
２７    制御装置
２８    電源
２９    切替器
３０    第１切欠部
３０ａ  取付穴
３１    第１プレート
３１ａ  取付穴
３２    第１吸収部材
３２ａ  取付用切欠部
３３    締結手段
３４    第２切欠部
３４ａ  取付穴
３５    第２プレート
３５ａ  取付穴
３６    第２吸収部材
３６ａ  取付用切欠部
３７    第１凹状切欠部
３７ａ  取付穴
３８    第２凹状切欠部
３８ａ  取付穴
３９    第１切欠部
３９ａ  取付穴
４０    第１傾斜状プレート
４０ａ  座ぐり取付穴
４０ｂ  外周側先端部
４０ｃ  内周側面
４１    第２切欠部
４１ａ  取付穴
４２    第２傾斜状プレート
４２ａ  座ぐり取付穴
４２ｂ  外周側先端部
４２ｃ  内周側面
４３    第１傾斜状プレート
４３ａ  座ぐり取付穴
４３ｂ  外周側先端部
４３ｃ  内周側面
４４    第２傾斜状プレート
４４ａ  座ぐり取付穴
４４ｂ  外周側先端部
４４ｃ  内周側面
４５    第１切欠部
４５ａ  プレート用取付穴
４５ｂ  吸収部材用取付穴
４６    第１プレート
４６ａ  プレート用座ぐり取付穴
４６ｂ  吸収部材用座ぐり取付穴
４７    第１プレート切欠部
４８    プレート用締結手段
４９    吸収部材用締結手段
５０    第２切欠部
５０ａ  プレート用取付穴
５０ｂ  吸収部材用取付穴
５１    第２プレート
５１ａ  プレート用座ぐり取付穴
５１ｂ  吸収部材用座ぐり取付穴
５２    第２プレート切欠部
５３    第１傾斜状プレート
５３ａ  プレート用座ぐり取付穴
５３ｂ  吸収部材用座ぐり取付穴
５３ｃ  外周側先端部
５３ｄ  内周側面
５４    第１傾斜状プレート切欠部
５５    第２傾斜状プレート
５５ａ  プレート用座ぐり取付穴
５５ｂ  吸収部材用座ぐり取付穴
５５ｃ  外周側先端部
５５ｄ  内周側面
５６    第２傾斜状プレート切欠部
５７    溜まり部
６０    第２ディスク
６０ａ  制動面
６０ｂ  取付穴
６０ｃ  中空部
６１    棒材
６１ａ  ねじ部
６２    締結手段
６３    座
６４    第１突起部
６４ａ  制動面
６５    第２突起部
６５ａ  制動面
６６    ディスク
１００  エレベータ用巻上機
１０１  ベース
１０２  軸受台
１０３  回転シャフト
１０４  綱車
１０５  ディスク
１０６  ブレーキ
１０７  制動子
【図１】
2009173409.tif 000003
【図２】
2009173409.tif 000004
【図３】
2009173409.tif 000005
【図４】
2009173409.tif 000006
【図５】
2009173409.tif 000007
【図６】
2009173409.tif 000008
【図７】
2009173409.tif 000009
【図８】
2009173409.tif 000010
【図９】
2009173409.tif 000011
【図１０】
2009173409.tif 000012
【図１１】
2009173409.tif 000013
【図１２】
2009173409.tif 000014
【図１３】
2009173409.tif 000015
【図１４】
2009173409.tif 000016
【図１５】
2009173409.tif 000017
【図１６】
2009173409.tif 000018
【図１７】
2009173409.tif 000019
【図１８】
2009173409.tif 000020
【図１９】
2009173409.tif 000021
【図２０】
2009173409.tif 000022